(57)【特許請求の範囲】
【請求項１】
壁面に取り付けられる横断面Ｌ字状の形状の一対の部材である壁掛具と、表示パネルと、前記表示パネルを前記壁掛具に連結する第一止具と第二止具からなる平面表示装置において、前記壁掛具は壁面に接する面と壁面に対し垂直方向に連続する側面からなり、前記側面には上方部に長孔を有するとともに下方部に突起を備え、前記第一止具は一対で設けられ板状で一方の端部に貫通孔を備え他方の端部に突起を備え、前記第二止具は一対で設けられ板状で端部に貫通孔を備え他の端部に長孔を備え、前記表示パネルは両側面の相応位置に二対の突起を備え、前記第一止具の突起を前記壁掛具側面の長孔に挿通し、前記第二止具の一方の貫通孔に前記壁掛具側面の突起を挿通し、前記表示パネルの突起を前記第一止具の貫通孔および前記第二止具の長孔に挿通して前記表示パネルを前記壁掛具に連結し、前記壁掛具の側面は、所定の位置より下方にいくに従い幅が狭くなるよう構成したことを特徴とする平面表示装置。
【請求項２】
前記長孔を円弧状とするとともに、前記第一止具を前記表示パネルに固定し、前記第二止具を前記壁掛具に固定するようにした請求項１に記載の平面表示装置。
【請求項３】
前記表示パネルの一方の突起をボルトで構成するとともに、相応のナットを設け、前記第二止具の長孔に挿通した前記ボルトにナットを螺合し前記第二止具を固定するようにした請求項１、２記載の平面表示装置。
【請求項４】
前記壁掛具は貫通孔を備えた舌片をほぼ中央部に設けるものとし、かつ、前記表示パネルはほぼ中央部相応位置に突起を設けるものとし、前記舌片の貫通孔が前記突起を回動自在に軸支するようにした請求項１乃至３記載の平面表示装置。
【発明の詳細な説明】
【０００１】
【発明の属する技術分野】
本発明は平面表示装置に係わり、詳細には表示パネルを壁に設置するための長孔を設けた薄型の壁掛具に関する。
【０００２】
【従来の技術】
従来、平面表示装置、例えば、ＰＤＰ（Plasma Display Panel）等は、ほぼ垂直に画面を見るようにするため、取付け角度を調整するためのチルト機構を備えた壁掛具を使用しやや傾斜状態にして壁などに設置するように構成される。
【０００３】
図３は従来のチルト機構付き壁掛具を用いて設置された平面表示装置を示す側面図（イ）と、傾斜状態に取付けた平面表示装置の側面図（ロ）と、要部を透視した平面表示装置の平面図（ハ）とである。
１は薄い箱体形状の平面表示パネル、例えば、ＰＤＰパネル等である。2bは部屋の壁面３等に設置する長方形の底部と、同底部から垂設した一対の垂直方向壁及び一対の水平方向壁とで構成された箱型の第一壁掛具である。2cはほぼＬ字板状の第二壁掛具であり、前記第一壁掛具2bの垂直方向壁の下部でＬ字の先端部を回転軸2fで軸支するとともに、同垂直方向壁の上部に設けた突起2eをＬ字の末端部に設けた円弧状長孔2dに挿通させ係止するように取付け、かつ、同第二壁掛具2c一対をＬ字の長辺に沿って前記ＰＤＰパネル１の裏面の左右の相応位置に並設する。
以上の構成により、回転軸2fを中心にして、図３（ロ）に記した矢印の方向にＰＤＰパネル１を動かして、画面を傾斜させて見易い角度に調整して係止させる。
【０００４】
ところで、従来の第一壁掛具2bの厚み（箱の厚み）B1は、Ｌ字板状の第二壁掛具2cを回動するように軸支するために、ほぼＬ字部分の足の長さ程度の大きさが必要である。上述したように、このＬ字板状の第二壁掛具2cにＰＤＰパネル１が取付けられていることにより、ＰＤＰパネル１を見易い角度に設定することができる。
【０００５】
しかし、第一壁掛具2bの厚み及び第二壁掛具2cの厚みが大きくなるため、平面表示装置全体の厚みB2が大きくなり、例えば、薄型のＰＤＰパネルを使用してもＰＤＰ装置全体の厚みが大きくなり、薄型の平面表示装置を実現し難い問題があった。
【０００６】
【発明が解決しようとする課題】
本発明は上記問題点に鑑みなされたもので、壁面への取付け角度を自由に設定でき、かつ薄型の平面表示装置を提供することを目的とする。
【０００７】
【課題を解決するための手段】
上記目的を達成するために、壁面に取り付けるための横断面Ｌ字状の部材を備え同部材側面上端部に長孔を有するとともに同下端部に突起を有した一対の壁掛具と、板状で端部に貫通孔を備え他の端部に突起を備え同突起を前記壁掛具の長孔に挿通するようにした一対の第一止具と、板状で両端部に貫通孔を備え前記貫通孔に前記壁掛具の突起を挿通するようにした一対の第二止具と、前記第一止具及び第二止具の貫通孔に挿通するため両側面の相応位置に４つの突起を設けた表示パネルとで構成した。
【０００８】
また別の構成では、上記壁掛具の横断面Ｌ字の高さを下端部ほど小さくするとともに、板状で端部に貫通孔を備え他の端部に長孔を備え前記貫通孔に前記壁掛具の突起を挿通するようにした一対の第二止具を設けた。
【０００９】
また、上記長孔を円弧状とするとともに、第一止具を表示パネルに固定し、第二止具を壁掛具に固定するようにした。
【００１０】
また、上記壁掛具、第一止具及び第二止具を板金で構成した。
【００１１】
また、上記突起をボルトで構成するとともに、相応のナットを設け、長孔に挿通した前記ボルトにナットを螺合し、第一止具又は第二止具を固定するようにした。
【００１２】
また、上記ナットを蝶ナットとする。
【００１３】
また別の構成では、上記壁掛具は貫通孔を備えた舌片をほぼ中央部に設けるものとし、かつ、上記表示パネルはほぼ中央部相応位置に突起を設けるものとし、前記舌片の貫通孔が前記突起を回動自在に軸支するようにした。
【００１４】
また、壁面に取り付けるための横断面Ｌ字状の部材を備え同部材側面ほぼ中央部に貫通孔を備えた舌片を設けるとともに同下端部に突起を有した一対の壁掛具と、板状で端部に貫通孔を備え他の端部に長孔を備え前記貫通孔に前記壁掛具の突起を挿通するようにした一対の止具と、前記止具の貫通孔に挿通するため両側面のほぼ中央部相応位置に一対の突起を設けるとともに両側面の下端部相応位置に一対のボルトを設けた表示パネルとで構成した。
【００１５】
【発明の実施の形態】
以上のように構成したので、（１）表示パネルを壁面にほぼ平行にして壁掛具方向に同表示パネルを押圧する状態では、平面表示装置は全体の厚みが小さくなり、このとき、前記壁掛具の長孔に挿通状態の第一止具の突起は同長孔の壁面側端部に移動する。尚、第二止具の長孔に挿通状態の表示パネルの突起は同長孔の表示パネル側端部に移動する。
（２）表示パネルを壁面に対し所定角度、例えば、垂直方向下向きに１０°等、傾斜させた状態では、表示パネルの上端部は前方に移動する。このとき、前記壁掛具の長孔に挿通状態の第一止具の突起は同長孔の表示パネル側端部に移動する。
【００１６】
また別の構成では、上記壁掛具の横断面Ｌ字の高さを下端部ほど小さくした。従って、上記（１）、（２）を満足するとともに、第二止具の長孔に挿通状態の表示パネルの突起は同長孔の壁面側端部に移動し、装置の下部の厚みが小さくなる。
【００１７】
また、長孔に挿通状態のボルトはナットを螺合して固定する。
【００１８】
また、側面上のほぼ中央部に一対の突起を設けた表示パネルと、貫通孔を備えた舌片をほぼ中央部に設けた一対の壁掛具とで構成し、表示パネルの突起を壁掛具の舌片の貫通孔で回動するように軸支する。
【００１９】
【実施例】
以下、本発明による平面表示装置について、図を用いて詳細に説明する。図１は本発明による平面表示装置の実施例を示す、表示パネルを壁面にほぼ平行に取付けた状態を示す側面図（ａ）、壁面に対し所定角度傾斜させた状態の表示パネルを示す側面図（ｂ）及び、壁面取付け状態の要部拡大矢視（c-c'）断面図（ｃ）である。
１は、例えば、ＰＤＰパネル等の表示パネルである。２は横断面Ｌ字状の板金等で構成した、側面上端部に長孔2aを有する壁掛具である。３は表示パネル１を設置する部屋の壁面である。4aは板金製で端部に貫通孔を備え他の端部にボルトを備える第一止具であり、4bは端部に長孔4cを備え他の端部に貫通孔を備えた板金製の第二止具である。5aは蝶ナット5bを螺合するボルト（突起）である。
【００２０】
本発明による平面表示装置の壁面設置動作及び取付け角度の調整動作を図１に従い説明する。
図１（ａ）及び（ｃ）に示すように、壁面３の垂直方向に一対の壁掛具２を取り付け、同壁掛具２の上端部の長孔2aに第一止具4aのボルト5aを挿通し、螺合する蝶ナット5bを締め付けて固定する。また、同壁掛具２の下端部の突起に第二止具4bの貫通孔を挿通する。
一方、前記第一止具4aの他端部の貫通孔には表示パネル１の上部側面に設けた突起を挿通する。また、前記第二止具4bの他端部の長孔には表示パネル１の下部側面に設けたボルト5aを挿通、螺合する蝶ナット5bを締め付けて固定する。
【００２１】
上述したように壁面３に設置した壁掛具２に、第一止具4a及び第二止具4bを介して表示パネル１を取付けているので、表示パネル１を壁面３にほぼ平行にして壁掛具２の方向に同表示パネル１を押圧すると、前記壁掛具２の長孔2aに挿通状態の第一止具4aのボルト5aは、同長孔2aの壁面３側端部に移動し、第二止具4bの長孔4cに挿通状態の表示パネル１のボルト5aは、同長孔4cの表示パネル１側端部に移動するように動作するので、表示パネル１が壁掛具２に密着するようになり、平面表示装置は全体の厚みＡを小さく構成できる。
【００２２】
また、図１（ｂ）に示すように、表示パネル１を壁面３に対し所定角度、例えば、垂直方向下向きに１０°等、傾斜させるような取付け方法では、表示パネル１の上端部は前方に移動し、前記壁掛具２の長孔2aに挿通状態の第一止具4aのボルト5aは、同長孔2aの表示パネル１側（前方）の端部に移動するので、表示パネル１を所定の傾斜状態にできる。
【００２３】
一方、図１（ｂ）に示すように、壁掛具２の横断面Ｌ字の高さをほぼ中央部から下端部に向かう斜面に沿って減少させた構成であるので、上述の傾斜動作の際、第二止具4bの長孔4cに挿通状態の表示パネル１のボルト5aは、同長孔4cの壁面３側端部に移動するように動作し、表示パネル１は壁掛具２の前記斜面に密着するようになるので、表示パネル１を傾斜状態にできる。
【００２４】
なお、上記説明では板金製の第二止具4bは端部に長孔4cを備え他の端部に貫通孔を備えたものとし、この貫通孔に壁掛具２の下端部の突起を挿通するとしているが、貫通孔の位置と、突起の位置を交換しても良い。
また、長孔を円弧状にするとともに、第一止具4aを表示パネル１に固定し、第二止具4bを壁掛具２に固定するように構成しても良い。
さらに、長孔2a、4cに挿通するボルトにナット又は蝶ナットを螺合し、第一止具4a、第二止具4bを所要の位置に固定するようにもできる。
【００２５】
図２は本発明による平面表示装置の他の実施例を示す、表示パネルを壁面にほぼ平行に取付けた状態を示す側面図（ａ）、壁面に対し所定角度傾斜させた状態の表示パネルを示す側面図（ｂ）である。
上述の図１の実施例と異なる個所について説明する。壁掛具２は、貫通孔を備えた舌片21をほぼ中央部に設けるものとし、かつ、表示パネル１はほぼ中央部相応位置に突起を設ける。
前記舌片21の貫通孔で前記突起を回動自在に軸支するようにして、壁面３に設置した壁掛具２に、第一止具4a及び第二止具4bを介して表示パネル１を取付ける。この例では表示パネル１のほとんどの重量を舌片21で支えるので第一止具4a及び第二止具4bには負担がかからない。従って、表示パネル１の重量が重い場合に最適である。
また、図２の発明については、第一止具4a又は第二止具4bの何れかと、表示パネル１の相応の突起及び壁掛具２の相応の長孔2aを省略した実施例であっても良い。
【００２６】
【発明の効果】
以上説明したように、本発明は壁面への取付け角度を自由に設定でき、かつ薄型の平面表示装置を提供する。
従って、薄い平面表示パネル、例えば、ＰＤＰパネル等を利用した平面表示装置の全体の厚みＡを小さく構成できるメリットがある。
また、チルト機構を実現するように壁掛具、第一止具及び第二止具を介して表示パネルを取付けるようにしているので表示パネルを簡易に傾斜させることができる。
さらに、図２の発明は重い表示パネルであっても確実に取付けることが可能でありかつ取付け角度を簡易に調整できる。
【図面の簡単な説明】
【図１】本発明による平面表示装置の実施例を示す、表示パネルを壁面にほぼ平行に取付けた状態を示す側面図（ａ）、壁面に対し所定角度傾斜させた状態の表示パネルを示す側面図（ｂ）及び、壁面取付け状態の要部拡大矢視（c-c'）断面図（ｃ）である。
【図２】本発明による平面表示装置の他の実施例を示す、表示パネルを壁面にほぼ平行に取付けた状態を示す側面図（ａ）、壁面に対し所定角度傾斜させた状態の表示パネルを示す側面図（ｂ）である。
【図３】従来のチルト機構付き壁掛具を用いて設置された平面表示装置を示す側面図（イ）と、傾斜状態に取付けた平面表示装置の側面図（ロ）と、要部を透視した平面表示装置の平面図（ハ）とである。
【符号の説明】
１  表示パネル
２  壁掛具
2a  長孔
2b  第一壁掛具
2c  第二壁掛具
2d  円弧状長孔
2e  突起
2f  回転軸
21  舌片
３  壁面
4a  第一止具
4b  第二止具
4c  長孔
5a  ボルト
5b  蝶ナット
【図１】
0003675069.tif 000002
【図２】
0003675069.tif 000003
【図３】
0003675069.tif 000004